(57)【要約】【課題】  住宅内において、ホームシアターとして最適な室空間を区画形成するためのホームシアター室ユニットを提供する。【解決手段】  住宅内にホームシアター用の室空間を区画形成するためのホームシアター室ユニットであって、略直方体の箱体で外側を覆われるとともに、内部に人が入って映像や音楽を鑑賞することができる内部空間を有しており、映像や音楽を鑑賞するのに適した音響構造とされ、内部空間を包囲する壁及び天井と、映像を投射可能な大画面のスクリーンと、該スクリーンに映像を投射可能とする投射装置と、壁又は天井の適宜の位置に配設され、臨場感の有る音声を出力可能とするスピーカーと、リラックスした状態で映像や音楽を鑑賞するためのリクライニング可能なシートと、を備えて構成した。【選択図】  図２
2007191881.tif 000002
【特許請求の範囲】
【請求項１】
住宅内にホームシアター用の室空間を区画形成するためのホームシアター室ユニットであって、
略直方体の箱体で外側を覆われるとともに、内部に人が入って映像や音楽を鑑賞することができる内部空間を有しており、
映像や音楽を鑑賞するのに適した音響構造とされ、内部空間を包囲する壁及び天井と、
映像を投射可能な大画面のスクリーンと、
該スクリーンに映像を投射可能とする投射装置と、
壁又は天井の適宜の位置に配設され、臨場感の有る音声を出力可能とするスピーカーと、
リラックスした状態で映像や音楽を鑑賞するためのリクライニング可能なシートと、を備えたホームシアター室ユニット。
【請求項２】
該内部空間を包囲する壁及び天井が、拡散処理を施された形状であるとともに、吸音性素材によって内装仕上げがなされている請求項１に記載のホームシアター室ユニット。
【請求項３】
請求項１又は２に記載のホームシアター室ユニットを備えてなる住宅。
【発明の詳細な説明】
【技術分野】
【０００１】
本発明は、住宅内にホームシアター用の室空間を区画形成するためのホームシアター室ユニットに関する。
【背景技術】
【０００２】
近年、ライフスタイルの多様化や生活水準の向上に伴い、一般の住宅においても、本格的なホームシアターシステムが用いられるようになっている。
ホームシアターシステムは、プロジェクタ等の投射装置によって、室内の壁面に沿って設置されたスクリーンに映像を投影するとともに、スピーカーによって、映像に伴う音声を再生するようにしたものである。そして、本格的なホームシアターシステムでは、大画面のスクリーンを用いて、音声との一体感有る臨場感豊かな映像を楽しむことができるようになされている。
【０００３】
このようなホームシアターシステムにあって、狭いスペースでも本格的なホームシアターを楽しむことができるように、スクリーン、投射装置、スピーカーを、収納可能にソファと一体化して構成したものとして、例えば特許文献１に記載されるものがある。
【０００４】
【特許文献１】特開平７−６４１８４
【発明の開示】
【発明が解決しようとする課題】
【０００５】
しかしながら、従来のホームシアターシステムは、主として既設のリビング等に設置して用いるものであり、一般にリビング等は必ずしも、ホームシアターの機能を十分に生かすことができる構造となっていない場合が多いため、ホームシアターとして最適な室空間を形成することは難しかった。また、キッチンや浴室、トイレ、寝室等をそれぞれユニット化した複数の小空間ユニットとして適宜配設して、住宅を形成する場合においては、ホームシアターとして最適な室空間を区画形成する手法が確立されていなかった。
【０００６】
そこで、本発明は上記問題に鑑みてなされたものであり、住宅内において、ホームシアターとして最適な室空間を区画形成するためのホームシアター室ユニットを提供することを目的とするものである。
【課題を解決するための手段】
【０００７】
上記の課題を解決するために、請求項１に記載のホームシアター室ユニットは、住宅内にホームシアター用の室空間を区画形成するためのホームシアター室ユニットであって、
略直方体の箱体で外側を覆われるとともに、内部に人が入って映像や音楽を鑑賞することができる内部空間を有しており、
映像や音楽を鑑賞するのに適した音響構造とされ、内部空間を包囲する壁及び天井と、
映像を投射可能な大画面のスクリーンと、
該スクリーンに映像を投射可能とする投射装置と、
壁又は天井の適宜の位置に配設され、臨場感の有る音声を出力可能とするスピーカーと、
リラックスした状態で映像や音楽を鑑賞するためのリクライニング可能なシートと、を備えたことを要旨とする。
【０００８】
また、請求項２に記載のホームシアター室ユニットは、請求項１に記載の構成において、該内部空間を包囲する壁及び天井が、拡散処理を施された形状であるとともに、吸音性素材によって内装仕上げがなされていることを要旨とする。
【０００９】
また、請求項３に記載の住宅は、請求項１又は２に記載の構成のホームシアター室ユニットを備えてなることを要旨とする。
【発明の効果】
【００１０】
本発明によれば、ホームシアター室ユニットを、略直方体の箱体で外側を覆われるとともに、内部に人が入って映像や音楽を鑑賞することができる内部空間を有しており、映像や音楽を鑑賞するのに適した音響構造とされ、内部空間を包囲する壁及び天井と、映像を投射可能な大画面のスクリーンと、該スクリーンに映像を投射可能とする投射装置と、壁又は天井の適宜の位置に配設され、臨場感の有る音声を出力可能とするスピーカーと、リラックスした状態で映像や音楽を鑑賞するためのリクライニング可能なシートと、を備えて構成したため、住宅内において、ホームシアターとして最適な室空間を区画形成するためのホームシアター室ユニットを提供することが可能となる。
【発明を実施するための最良の形態】
【００１１】
本発明に係るホームシアター室ユニットは、キッチンや浴室、トイレ、寝室等をそれぞれ構成するユニット化された複数の小空間ユニットを適宜配設して住宅を形成する場合において、特にホームシアター用の室空間を区画形成するために用いられるものである。
【００１２】
本発明に係るホームシアター室ユニットは、箱体で外側を覆われるとともに、内部に人が入って映像や音楽を鑑賞することができる内部空間を有したものである。箱体は、ユニットの汎用性を考慮して、略直方体にて構成するが、大きさは適宜変更してよい。箱体の構造としては種々のものが用いられるが、例えばコンクリートや木軸、軽量鉄骨等を用いて骨組み構成する。
【００１３】
内部空間は、映像や音楽を鑑賞するのに適した音響構造を有する壁及び天井によって構成する。内部空間は、聴覚的に好ましい側方からの反射音が多く得られるように、奥行き方向に長い長方形状の平面を基調とし、さらに、音圧の分布を均一にするために、各辺の寸法比が整数比とならないようにするとともに、平行な壁面がないようにして、室内全体が不整形となるように構成する。
そして、内部空間内の拡散性を高め、一定方向への反射やエコー障害を防止するため、壁や天井は拡散処理が施された形状の拡散面として構成する。このような拡散面としては、例えば、波型や屏風折れ型の形状によって形成されたものを好ましく用いることができる。
【００１４】
内部空間を構成する壁及び天井は、遮光性を備えるとともに、残響時間の調整や外部への音漏れ低減のために、吸音性を備える素材を用いて内装仕上げを行うものとする。このような素材としては、ロックウール、グラスウール、軟質繊維板などの繊維系材料又は発泡材料からなる多孔質型素材や、穴あき板構造又はリブ・スリット構造を有する共鳴器型素材等を用いる。吸音特性や吸音構造の異なる材料を適宜組み合わせて用いることとすれば、周波数帯域全体にわたってバランスよく吸音力を発揮することができ好ましい。例えば、穴あき板の背後にグラスウール等の多孔質材を入れた内装材を用いて仕上げを行う。
【００１５】
内部空間には、映像を投射可能な大画面のスクリーン、及びスクリーンに映像を投射可能とする投射装置を設置する。スクリーンの大きさやスクリーンと投射装置との間の必要距離（映像投射距離）は、内部空間の寸法設定を行う上での指標ともなるものである。
【００１６】
内部空間の壁又は天井の適宜の位置には、臨場感の有る音声を出力可能とするスピーカーを配設する。このようなスピーカーとしては、５．１チャンネル、７．１チャンネル、３ＷＡＹ等のスピーカーを採用することができる。スピーカーは、低音用や中高音用というように複数種類のものを、複数方向に配設することが好ましく、さらに水平又は垂直方向に回動自在に設置することとすれば、変化に富んだ音場を形成することが可能となる。
【００１７】
内部空間には、リラックスした状態で映像や音楽を楽しむことができるように、リクライニング可能なシートを設置する。シートは、残響時間への影響を考慮し、モケット張り等として吸音性を持たせて構成することが好ましい。
【００１８】
本発明に係るホームシアター室ユニットは、一〜三人程度の少人数用の室空間として構成するのが典型的であるが、収容人数は設置する住宅に応じて適宜変更してよい。
本発明に係るホームシアター室ユニットは、工場において各部材を予め組み立てておき、建築現場でこれを適所に設置するようにしてもよいし、その一部又は全部を現場で施工することとしてもよい。
【実施例１】
【００１９】
本発明の第１の実施例を図１〜図２に基づいて説明する。本実施例は、本発明に係るホームシアター室ユニットの一実施形態を示すものである。図１は、本発明に係るホームシアター室ユニットの実施形態を示す平面図、図２は、図１におけるＡ〜Ａ’断面図である。
【００２０】
図１〜図２に示すように、本実施例に係るホームシアター室ユニット（１）は、略直方体の箱体（２）で外側を覆われており、内部に人が入って映像や音楽を鑑賞することができるように内部空間（３）が構成されたものである。
【００２１】
内部空間（３）は、図１〜図２に示すように、床面（４）上に四方に立設される前方壁（５）、左右の側方壁（６）（７）、後方壁（８）と、上方を覆う天井（３３）とによって形成されており、幅約2000mm（最大）、奥行き約2600mm（最大）、天井高約2100mm（最大）となるように構成されている。前方壁（５）、側方壁（６）（７）、後方壁（８）、及び天井（３３）は、それぞれ壁下地材（９）、及び天井下地材（１０）によって支持されている。
【００２２】
前方壁（５）は、図１〜図２に示すように、平板状に設けられ、影像を投射可能な大画面１００インチのスクリーン（１３）が、壁面に沿って、かつ壁面の幅略いっぱいに設置されている。スクリーン（１３）は可撓性素材によって形成されるものであり、必要によって不使用時における巻き上げ収納機能を付加してもよい。
スクリーン（１３）の下方中央部には、センタースピーカー（１４）が壁面と略面一となるように埋設されるとともに、センタースピーカー（１４）の両側には、ビデオデッキ、ＣＤプレーヤー、ＤＶＤプレーヤー、チューナー、アンプ等のオーディオビジュアル（以下、ＡＶと略称する）装置を収納するＡＶ装置収納部（１５）が凹設されている。ＡＶ装置収納部（１５）は、スクリーン（１３）下縁から床面（４）までの距離に略等しい高さを有している。
【００２３】
側方壁（６）（７）は、図１〜図２に示すように、所定の曲率半径によって波型に湾曲された形状で、それぞれ二分割された側方壁形成パネル（６ａ）（６ｂ）及び（７ａ）（７ｂ）が、一方（６ａ）（７ａ）を他方（６ｂ）（７ｂ）の外側に一部重ね合わせ、尚且つそれぞれ所定の隙間部（１７）（１８）を形成するように、連結して設けられている。
隙間部（１７）（１８）には、柱状の照明灯からなる照明設備（１９）（２０）が、それぞれ垂直状態で凹設され、内部空間（３）を斜め前方に向かって照射するようになされている。
側方壁形成パネル（６ａ）（７ａ）のスクリーン（１３）に近接した位置には、一対のフロントスピーカー（２１）（２２）が、それぞれ壁面と略面一となるように埋設されている。
また、側方壁形成パネル（６ａ）の適宜の位置には、図１〜図２に示すように、内部空間（３）への出入りのために外部と連通可能に構成された扉（２４）が設けられている。扉（２４）は、外部に音が漏れないように遮音構造とされている。
【００２４】
後方壁（８）は、図１〜図２に示すように、所定の曲率半径によって波型に湾曲された形状を有し、その適宜の位置には、一対のリアスピーカー（２６）（２７）が、それぞれ壁面と略面一となるように埋設されている。
後方壁（８）の両側端と、側方壁形成パネル（６ｂ）（７ｂ）との取り合いには、それぞれ所定の隙間部（２９）（３０）が形成され、隙間部（２９）（３０）には、柱状の照明灯からなる照明設備（２９ａ）（３０ａ）が、それぞれ垂直状態で凹設され、内部空間（３）を斜め後方から照射するようになされている。
【００２５】
天井（３３）は、図２に示すように、所定の曲率半径によって波型に湾曲された形状で、二分割された天井形成パネル（３３ａ）（３３ｂ）が、一方（３３ａ）を他方（３３ｂ）の外側に一部重ね合わせ、尚且つ所定の隙間部（３４）を形成するように、連結して設けられている。
隙間部（３４）には、長尺の照明灯からなる照明設備（３５）が、水平状態で凹設され、斜め前方に向かって内部空間（３）を照射するようになされている。
また、天井形成パネル（３３ｂ）の適宜の位置には、前方壁（５）に設置されるスクリーン（１３）に影像を投射可能とする、プロジェクタ等の投射装置（３６）が吊設されている。
【００２６】
上記構成において、ＡＶ装置収納部（１５）に収納されるＡＶ装置と、センタースピーカー（１４）、フロントスピーカー（２１）（２２）、リアスピーカー（２６）（２７）、投射装置（３６）とは、それぞれ図示しない配線で接続されており、ＡＶ装置によって出力された音声信号が、センタースピーカー（１４）、フロントスピーカー（２１）（２２）、リアスピーカー（２６）（２７）によって音声として鳴らされるとともに、ＡＶ装置によって出力された映像信号が、投射装置（３６）によってスクリーン（１３）上において映像として投射されるようになっている。
【００２７】
図１〜図２に示すように、後方壁（８）に沿った位置には、スクリーンに（１３）に対向して、二人がけ用のリクライニングシート（３８）が設置されている。リクライニングシート（３８）は、並設される一対の着座部（３９ａ）（３９ｂ）と、着座部（３９ａ）（３９ｂ）に各々起伏自在に設けられる背もたれ部（４０ａ）（４０ｂ）とを備えて構成されており、リクライニングシート（３８）の中央部及び両端部には、肘掛部（４１）及び（４１ａ）（４１ｂ）が形成されている。
リクライニングシート（３８）は、長時間の着座による苦痛を軽減するべく、非常に高いクッション製を有するとともに、吸音性素材を用いて、音の反響を抑止するように構成されている。
そして、リクライニングシート（３８）に人が着座した際に、ちょうど頭部後方にリアスピーカー（２６）（２７）が位置するようになされている。
【００２８】
なお、本実施例に係るホームシアター室ユニット（１）は、内部空間（３）の室温調節及び換気を行うための空調装置（図示せず）を備えており、空調装置と内部空間（３）との間で空気を循環させて空気調和を行うようになされているとともに、内部空間（３）から空調装置に回収した空気の一部を箱体（２）外部に放出し、箱体（２）外部から新鮮な空気を取り入れて、内部空間（３）の換気を行うようになされている。
【００２９】
本実施例に係るホームシアター室ユニット（１）によれば、側方壁（６）（７）、後方壁（８）、天井（３３）を、それぞれ波型に湾曲された所定の形状によって形成し、隙間部（１７）（１８）（２９）（３０）（３４）に、それぞれ照明設備（１９）（２０）（２９ａ）（３０ａ）（３５）を凹設するようにしたため、ホームシアター室として最適な音響環境、照明環境を提供することが可能となる。
しかも、センタースピーカー（１４）、フロントスピーカー（２１）（２２）、リアスピーカー（２６）（２７）によって、複数方向からの音声を同時に聞くことができるため、臨場感が高く、またリクライニングシート（３８）によって、非常にリラックスした状態で、映像や音楽を楽しむことができる。
【実施例２】
【００３０】
本発明の第２の実施例を図３〜図４を参照しながら説明する。本実施例では、本発明に係るホームシアター室ユニットを備えた住宅について説明する。
【００３１】
図３は、本発明に係るホームシアター室ユニットを備えた住宅の平面図（１階部分）である。この図に示すように、本実施例に係る住宅（４５）は、キッチン（４７）が付設された矩形状のリビング（４６）を挟んで各室を配設することによって構成されており、リビング（４６）の一辺に沿って、食事室（４８）、浴室・洗面所（４９）、トイレ（５１）が並設されるとともに、これらに対向して、玄関（５２）、ホームシアター室ユニット（１）、暖炉を備えるファイアーニッチェ（５３）が並設されている。リビング（４６）には、階上とを繋ぐ螺旋状の階段（５５）が設けられている。
【００３２】
ホームシアター室ユニット（１）は、二人用のもので、前実施例で詳述した如くの構成を有し、リビング（４６）から直接出入り可能に形成されている。
なお、食事室（４８）、浴室・洗面所（４９）、トイレ（５１）、玄関（５２）、ファイアーニッチェ（５３）は、ホームシアター室ユニット（１）と同様に、予め形状、素材、仕上げ、設備等が創り込まれた箱状の小空間ユニットとしてそれぞれ構成されており、これらのユニットを、機能性等を考慮して任意に配置することによって住宅（４５）が形成されているものである。
【００３３】
また、図４は、本発明に係るホームシアター室ユニットを備えた住宅の他の実施形態を示す平面図（２階部分）である。
この図に示すように、本実施例に係る住宅（５８）は、直線状の廊下（５９）と、その両端に接続される、ベランダ（６０ａ）が付設された寝室（６０）、ホームシアター室ユニット（１）、及び浴室・洗面所（６２）とによって、三方を囲われた吹抜（６４）を有するように構成されている。浴室・洗面所（６２）には月見台（６８）が接続されている。
廊下（５９）に沿って、吹抜（６４）と反対側には、寝室（６５）（６６）（６７）が並設されており、廊下（５９）の両端には、化粧台（５９ａ）、トイレ（５９ｂ）が設けられている。また、吹抜（６４）には階下とを繋ぐ階段（５９ｃ）が設けられている。廊下（５９）の吹抜（６４）に面する部分には、種々の作業を行うことが可能なデスク（５９ｄ）が設置されている。
【００３４】
ホームシアター室ユニット（１）は、二人用のものであるが、この実施例では、ホームシアター室ユニット（１）が、廊下（５９）のみならず隣接する寝室（６０）からも出入り可能に構成されている。このような構成により、ホームシアター室ユニット（１）と寝室（６０）とが一体となったセミプライベートな空間を形成することが可能となる。
なお、トイレ（５９ｂ）、寝室（６０）（６５）（６６）（６７）、浴室・洗面所（６２）、月見台（６８）は、ホームシアター室ユニット（１）と同様に、予め形状、素材、仕上げ、設備等が創り込まれた箱状の小空間ユニットとしてそれぞれ構成されており、これらのユニットを、機能性等を考慮して任意に配置することによって住宅（５８）が形成されているものである。
【００３５】
本実施例に係る住宅（４５）（５８）によれば、ホームシアター室ユニット（１）を適宜の位置に配置して住宅を形成するようにしたため、ホームシアターとして最適な室空間を、住宅内において区画形成することが可能となる。
【産業上の利用可能性】
【００３６】
本発明は、住宅内において、ホームシアターとして最適な室空間を区画形成するためのホームシアター室ユニットを提供するものであり、産業上の利用可能性を有する。
【図面の簡単な説明】
【００３７】
【図１】本発明に係るホームシアター室ユニットの実施形態を示す平面図である。
【図２】図１におけるＡ〜Ａ’断面図である。
【図３】本発明に係るホームシアター室ユニットを備えた住宅の実施形態を示す平面図である。
【図４】本発明に係るホームシアター室ユニットを備えた住宅の他の実施形態を示す平面図である。
【符号の説明】
【００３８】
１  ホームシアター室ユニット
２  箱体
３  内部空間
４  床面
５  前方壁
６  側方壁
６ａ、６ｂ  側方壁形成パネル
７  側方壁
７ａ、７ｂ  側方壁形成パネル
８  後方壁
９  壁下地材
１０  天井下地材
１３  スクリーン
１４  センタースピーカー
１５  ＡＶ装置収納部
１７、１８  隙間部
１９、２０  照明設備
２１、２２  フロントスピーカー
２４  扉
２６、２７  リアスピーカー
２９、３０  隙間部
２９ａ、３０ａ  照明設備
３３ａ、３３ｂ  天井形成パネル
３４  隙間部
３５  照明設備
３６  投射装置
３８  リクライニングシート
３９ａ、３９ｂ  着座部
４０ａ、４０ｂ  背もたれ部  
４１、４１ａ、４１ｂ  肘掛部
４５  住宅
４６  リビング
４７  キッチン
４８  食事室
４９  浴室・洗面所
５１  トイレ
５２  玄関
５３  ファイアーニッチェ
５５  階段
５８  住宅
５９  廊下
５９ａ  化粧台
５９ｂ  トイレ
５９ｃ  階段
５９ｄ  デスク
６０、６５、６６、６７  寝室
６２  浴室・洗面所
６４  吹抜
６８  月見台
【図１】
2007191881.tif 000003
【図２】
2007191881.tif 000004
【図３】
2007191881.tif 000005
【図４】
2007191881.tif 000006